(57)【特許請求の範囲】
【請求項１】
光線の強度が変化することを検出した場合、感光センサーが遮蔽されるか否かを検出するステップと、
感光センサーが遮蔽されることを検出した場合、スクリーンの現在の輝度を維持するステップと、を含み、
感光センサーが遮蔽されるか否かを検出するステップは、
スクリーンが横向きスクリーン状態にあるか否かを検出するステップと、
スクリーンにおける感光センサーと隣接する第１の領域と、スクリーンにおける前記第１の領域の以外の他の領域である第２の領域にタッチ操作があるか否かを検出するステップと、
スクリーンが横向きスクリーン状態にあり、且つ第１の領域と第２の領域にもタッチ操作がある場合、感光センサーが遮蔽されたと確定するステップと、を含み、
感光センサーが遮蔽されたと確定する前、
第１の領域と第２の領域のタッチ操作のレポートレートを検出するステップと、
第１の領域のレポートレートと予め設けられた第１のレポート閾値を比較し、第２の領域のレポートレートと予め設けられた第２のレポート閾値を比較するステップと、
比較結果に基づいて、感光センサーが遮蔽されるか否かを確定するステップと、をさらに含むことを特徴とするスクリーン輝度の調節方法。
【請求項２】
感光センサーが遮蔽されるか否かを検出するステップは、
スクリーンが横向きスクリーン状態にあり、且つ第１の領域及び/又は第２の領域にタッチ操作がない場合、感光センサーと隣接して設置される距離センサーにより、予め設けられた距離閾値内に物体が存在するか否かを検出するステップと、
検出結果に基づいて、感光センサーが遮蔽されるか否かを確定するステップと、をさらに含むことを特徴とする請求項１に記載のスクリーン輝度の調節方法。
【請求項３】
感光センサーが遮蔽されるか否かを検出するステップは、
スクリーンが横向きスクリーン状態にあるか否かを検出するステップと、
感光センサーと隣接して設置される距離センサーにより、予め設けられた距離閾値内に物体が存在するか否かを検出するステップと、
検出結果に基づいて、感光センサーが遮蔽されるか否かを確定するステップと、を含むことを特徴とする請求項１に記載のスクリーン輝度の調節方法。
【請求項４】
前記スクリーンの横向きスクリーン状態は、重力センサーにより検出されることを特徴とする請求項１または３に記載のスクリーン輝度の調節方法。
【請求項５】
感光センサーが遮蔽されることを検出した場合、
第１の調節閾値を第２の調節閾値に更新するステップをさらに含み、
ここで、前記第２の調節閾値は、前記第１の調節閾値よりも大きく、前記第１の調節閾値または第２の調節閾値は、スクリーンの輝度を自動調節するイベントをトリガーするためのものであることを特徴とする請求項１〜４のいずれか一項に記載のスクリーン輝度の調節方法。
【請求項６】
感光センサーが遮蔽されないことを検出した場合、現在の光線の強度パラメータに基づいて、前記スクリーンの輝度を調節するステップをさらに含むことを特徴とする請求項１〜４のいずれか一項に記載のスクリーン輝度の調節方法。
【請求項７】
現在の光線の強度パラメータに基づいて、前記スクリーンの輝度を調節する前、
スクリーンの現在のインターフェースにスクリーンの輝度を自動調節するイベントをトリガーするための第１のコントロール及びスクリーンの輝度を自動調節するイベントのキャンセルをトリガーするための第２のコントロールを表示するステップと、
現在のトリガーされたコントロールに応じて、現在の光線の強度パラメータに基づいて前記スクリーンの輝度を調節するか否かを確定するステップと、をさらに含むことを特徴とする請求項６に記載のスクリーン輝度の調節方法。
【請求項８】
光線の強度が変化することを検出した場合、感光センサーが遮蔽されるか否かを検出するように構成される検出モジュールと、
感光センサーが遮蔽された場合、スクリーンの現在の輝度を維持するように構成される輝度調節モジュールと、を含み、
前記検出モジュールは、
光線の強度が変化するか否かを検出するように構成される光強度検出サブモジュールと、
光線の強度が変化した場合、スクリーンが横向きスクリーン状態にあるか否かを検出するように構成される横スクリーン検出サブモジュールと、
光線の強度が変化しまたはスクリーンが横向きスクリーン状態にある場合、スクリーンにおける感光センサーと隣接する第１の領域と、スクリーンにおける前記第１の領域の以外の他の領域である第２の領域にタッチ操作があるか否かを検出するように構成されるタッチ検出サブモジュールと、
スクリーンが横向きスクリーン状態にあり、且つ第１の領域と第２の領域にもタッチ操作がある場合、感光センサーが遮蔽されたと確定するように構成される第１の確定サブモジュールと、を含み、
前記第１の確定サブモジュールは、
スクリーンが横向きスクリーン状態にあり、且つ第１の領域と第２の領域にもタッチ操作がある場合、第１の領域と第２の領域のタッチ操作のレポートレートを検出するように構成されるレポート検出サブモジュールと、
第１の領域のレポートレートと予め設けられた第１のレポート閾値を比較し、第２の領域のレポートレートと予め設けられた第２のレポート閾値を比較するように構成されるレポート比較サブモジュールと、
比較結果に基づいて、感光センサーが遮蔽されるか否かを確定するように構成される結果確定サブモジュールと、を含むことを特徴とするスクリーン輝度の調節装置。
【請求項９】
前記検出モジュールは、
スクリーンが横向きスクリーン状態であり、且つ第１の領域及び/又は第２の領域にタッチ操作がない場合、感光センサーと隣接して設置される距離センサーにより、予め設けられた距離閾値内に物体が存在するか否かを検出するように構成される第２の距離検出サブモジュールと、
第２の距離検出サブモジュールの検出結果に基づいて、感光センサーが遮蔽されるか否かを確定するように構成される第２の確定サブモジュールと、をさらに含むことを特徴とする請求項８に記載のスクリーン輝度の調節装置。
【請求項１０】
前記検出モジュールは、
光線の強度が変化するか否かを検出するように構成される光強度検出サブモジュールと、
光線の強度が変化する場合、スクリーンが横向きスクリーン状態にあるか否かを検出するように構成される横スクリーン検出サブモジュールと、
光線の強度が変化しまたはスクリーンが横向きスクリーン状態にある場合、感光センサーと隣接して設置される距離センサーにより、予め設けられた距離閾値内に物体が存在するか否かを検出するように構成される距離検出サブモジュールと、
検出結果に基づいて、感光センサーが遮蔽されるか否かを確定するように構成される確定サブモジュールと、を含むことを特徴とする請求項８に記載のスクリーン輝度の調節装置。
【請求項１１】
感光センサーが遮蔽された場合、第１の調節閾値を第２の調節閾値に更新するように構成される閾値更新モジュールをさらに含み、ここで、前記第２の調節閾値は、前記第１の調節閾値によりも大きく、前記第１の調節閾値または第２の調節閾値は、スクリーンの輝度を自動調節するイベントをトリガーするためのものであることを特徴とする請求項８ないし１０のいずれか一項に記載のスクリーン輝度の調節装置。
【請求項１２】
前記輝度調節モジュールは、さらに、感光センサーが遮蔽されない場合、現在の光線の強度パラメータに基づいて、前記スクリーンの輝度を調節するように構成されることを特徴とする請求項８ないし１０のいずれか一項に記載のスクリーン輝度の調節装置。
【請求項１３】
輝度調節モジュールがスクリーンの輝度を調節する前、スクリーンの現在のインターフェースにスクリーンの輝度を自動調節するイベントをトリガーするための第１のコントロールとスクリーンの輝度を自動調節するイベントのキャンセルをトリガーするための第２のコントロールを表示するように構成されるコントロール表示モジュールと、
現在のトリガーされたコントロールに応じて、現在の光線の強度パラメータに基づいて前記スクリーンの輝度を調節するか否かを確定するように構成される調節確定モジュールと、をさらに含むことを特徴とする請求項１２に記載のスクリーン輝度の調節装置。
【請求項１４】
プロセッサと、
前記プロセッサにより実行可能なコンピュータプログラムを記憶するメモリと、
ディスプレイと、を含み、
ここで、前記プロセッサは、前記プログラムを実行する場合、請求項１〜７のいずれか一項に記載のスクリーン輝度の調節方法のステップを実現すると共に、前記ディスプレイのスクリーンの輝度の調節を実現することを特徴とする電子機器。
【請求項１５】
プロセッサにより実行されことにより、請求項１〜７のいずれか１項に記載のスクリーン輝度の調節方法を実現することを特徴とするプログラム。
【請求項１６】
請求項１５に記載のプログラムが記載され、コンピュータ読み取り可能な記録媒体。
【発明の詳細な説明】
【技術分野】
【０００１】
本願は、出願番号が２０１８１０８４７０９８.２であって、出願日が２０１８年７月２７日である中国特許出願に基づき優先権を主張し、当該中国特許出願のすべての内容を本願に援用する。
【０００２】
本発明は、スクリーン制御技術分野に係り、特に、スクリーン輝度の調節方法、装置、電子機器、プログラム及び記憶媒体に関する。
【背景技術】
【０００３】
関連技術において、現在、携帯電話、タブレットなどの電子機器は、自体が所在している環境中の光線輝度の変化に応じて、自動的にスクリーンの輝度を調節することができる。しかしながら、環境中の光線輝度が変化しない場合、ユーザが電子機器を横持ち、即ち、ユーザの両手が、電子機器の対向する両端（そのうちの一端は、電子機器における感光センサーが設けられる一端であり）をそれぞれ持つことによる電子機器の感光センサー（ｌｉｇｈｔ ｓｅｎｓｏｒ）が指や手のひらで遮蔽される時、感光センサーは、現在の環境中の光線が変化すると誤判して、電子機器のスクリーン輝度の自動調節機能をトリガーして、スクリーンの輝度を現在の環境に適応させる。
【０００４】
したがって、関連技術におけるスクリーン輝度の調節は、環境中の光線強度が変化しない場合にも、行われる可能性があり、これにより、輝度誤調節の現象が発生しやすい、スクリーン輝度の調節確度が低い、ユーザの体験を容易に影響すると共に、一定のエネルギー損失をもたらす。
【発明の概要】
【発明が解決しようとする課題】
【０００５】
関連技術に存在する問題を解決するために、本発明は、スクリーン輝度の調節方法、装置、電子機器、プログラム及び記憶媒体を提供する。
【課題を解決するための手段】
【０００６】
本発明実施例の第１局面によれば、スクリーン輝度の調節方法提供し、前記方法は、
光線の強度が変化することを検出した場合、感光センサーが遮蔽されるか否かを検出するステップと、
感光センサーが遮蔽されることを検出した場合、スクリーンの現在の輝度を維持するステップと、を含む。
【０００７】
これにより、本発明は、光線の強度が変化することを検出した場合、まず、スクリーンの輝度を調節しなく、電子機器の感光センサーが遮蔽されるか否かを検出して、検出結果に基づいて、スクリーンの輝度を調節する必要があるか否かを確定することによって、環境中の光線の強度が変化しない場合、感光センサーが遮蔽されることによりスクリーンの輝度をそれに伴って変化させる現象の発生を効果的に避けることができ、輝度の誤調節及びそれによるエネルギー損失を防止することに有利であり、スクリーン輝度の調節確度を高める。そして、ゲーム中に、ユーザが電子機器を横持って感光センサーを遮蔽しても、スクリーンの輝度が暗くならず、現在の輝度を維持するように確保し、ユーザの体験を最適化することができる。
【０００８】
選択的には、感光センサーが遮蔽されるか否かを検出するステップは、
スクリーンが横向きスクリーン状態にあるか否かを検出するステップと、
スクリーンにおける感光センサーと隣接する第１の領域と、スクリーンにおける前記第１の領域の以外の他の領域である第２の領域にタッチ操作があるか否かを検出するステップと、
スクリーンが横向きスクリーン状態にあり、且つ第１の領域と第２の領域にもタッチ操作がある場合、感光センサーが遮蔽されたと確定するステップと、を含む。
【０００９】
横向きスクリーン状態では、ユーザがスクリーンにおける感光センサーと隣接する第１の領域と第１の領域の以外の第２の領域をタッチする過程中に、第１の領域をタッチするための一方の手が一般的に、感光センサーの上方を跨って第１の領域に接触し、感光センサーを遮蔽するため、感光センサーにより検出された光線の強度が弱くなる。したがって、本発明は、スクリーンが横向きスクリーン状態にあるか否かを検出し、第１の領域と第２の領域にタッチ操作があるか否かを検出し、これに基づいて感光センサーが遮蔽されたか否かを確定することにより、感光センサーが遮蔽されるか否かの検出確度を高めることに有利であり、スクリーン輝度の調節確度を高める。そして、検出過程において、重力センサーとタッチセンサーを応用する必要があるだけであり、検出を容易に実現でき、且つ検出過程が簡単であり、検出効率を高めることに有利である。
【００１０】
選択的には、感光センサーが遮蔽されたと確定する前、
第１の領域と第２の領域のタッチ操作のレポートレートを検出するステップと、
第１の領域のレポートレートと予め設けられた第１のレポート閾値を比較し、第２の領域のレポートレートと予め設けられた第２のレポート閾値を比較するステップと、
比較結果に基づいて、感光センサーが遮蔽されるか否かを確定するステップと、をさらに含む。
【００１１】
これにより、本発明は、スクリーンが横向きスクリーン状態にあり、且つ第１の領域と第２の領域にもタッチ操作がある場合、第１の領域と第２の領域のタッチ操作のレポートレートをさらに検出し、タッチ操作に対する検出確度を高めると共に、それに基づいて感光センサーが遮蔽されるか否かを確定することにより、感光センサーが遮蔽されるか否かの検出確度とスクリーン輝度の調節確度を高めることに有利である。
【００１２】
選択的には、感光センサーが遮蔽されたと確定する前、
感光センサーと隣接して設置される距離センサーにより、予め設けられた距離閾値内に物体が存在するか否かを検出するステップと、
検出結果に基づいて、感光センサーが遮蔽されるか否かを確定するステップと、をさらに含む
スクリーンが横向きスクリーン状態にあり、第１の領域と第２の領域にもタッチ操作がある場合、一般的に、感光センサーが遮蔽される状況が発生するが、感光センサーが遮蔽されない状況も存在する可能性がある。したがって、感光センサーが遮蔽されるか否かの検出確度をさらに高めるために、本発明は、距離センサーを組み合わせることで、距離センサーの検出結果に基づいて、感光センサーが遮蔽されるか否かをさらに確定することにより、上記の２つの状況を良く考慮することができ、スクリーン輝度の調節確度を高めることに有利であり、ユーザの体験を最適化することができる。
【００１３】
選択的には、感光センサーが遮蔽されるか否かを検出するステップは、
スクリーンが横向きスクリーン状態にあり、且つ第１の領域及び/又は第２の領域にタッチ操作がない場合、感光センサーと隣接して設置される距離センサーにより、予め設けられた距離閾値内に物体が存在するか否かを検出するステップと、
検出結果に基づいて、感光センサーが遮蔽されるか否かを確定するステップと、をさらに含む。
【００１４】
横向きスクリーン状態では、第１の領域及び/又は第２の領域にタッチ操作を検出しないが、ユーザが電子機器を使用する過程で、手部が感光センサーを遮蔽する現象が発生する可能性があり、例えば、ユーザは、両手または片手で電子機器を持ってビデオを見る場合、第１の領域に接近する一方の手が感光センサーをちょうど遮蔽する。したがって、このような場合にも、感光センサーが遮蔽されるか否かを検出することができるために、本発明は、横向きスクリーン状態で、第１の領域及び/又は第２の領域にタッチ操作がない場合、距離センサーの検出結果を結合して、感光センサーが遮蔽されるか否かをさらに確定することにより、スクリーン輝度の調節確度を高めることに有利であり、ユーザの体験を最適化することができる。
【００１５】
選択的には、本発明の実施例は、感光センサーが遮蔽されるか否かを検出する他の態様をさらに提供し、即ち、感光センサーが遮蔽されるか否かを検出するステップは、
スクリーンが横向きスクリーン状態にあるか否かを検出するステップと、
感光センサーと隣接して設置される距離センサーにより、予め設けられた距離閾値内に物体が存在するか否かを検出するステップと、
検出結果に基づいて、感光センサーが遮蔽されるか否かを確定するステップと、を含む。
【００１６】
縦向きスクリーン状態に対して、ユーザが横向きスクリーン状態でスクリーンの操作により感光センサーを遮蔽する現象が発生する確率は、はるかに大きくなり、例えば、ユーザの両手が電子機器の対向する両端（そのうちの一端は、電子機器における感光センサーが設けられる一端であり）をそれぞれ持ち、または、ユーザの片手が電子機器における感光センサーが設けられる一端を持ち、または、ユーザがアプリケーションを使用する場合、一部のアプリケーションの機能を実現するように、感光センサーの上方を跨ってスクリーンにおける感光センサーに接近する領域に接触する必要があり、これらの状況は、いずれも感光センサーが遮蔽されることをもたらすことができる。本発明は、スクリーンが横向きスクリーン状態にあるか否かを検出し、距離センサーにより、予め設けられた距離閾値内に物体が存在するか否かを検出し、検出結果に基づいて感光センサーが遮蔽されるか否かを確定することによって、検出ステップを簡略化させることができ、且つ、距離センサーが感光センサーと隣接して設置されるため、横向きスクリーン状態（通話時にイヤピースに密着することにより距離センサーが予め設けられた距離閾値内に物体を検出した状況を排除し）では、距離センサーが予め設けられた距離閾値内に物体を検出した場合、前記物体がいずれも感光センサーを遮蔽するようになり、予め設けられた距離閾値内に物体を検出しない場合、感光センサーを遮蔽する現象が存在しない。したがって、感光センサーが遮蔽されるか否かに対する検出確度を確保し、スクリーン輝度の調節確度を高め、ユーザの体験を最適化することができる。
【００１７】
選択的には、前記スクリーンの横向きスクリーン状態は、重力センサーにより検出される。
【００１８】
これにより、本発明は、重力センサーでスクリーンの横向きスクリーン状態の検出を実現することによって、検出過程を簡単化させることに有利であり、検出効率を高めることができる。
【００１９】
選択的には、感光センサーが遮蔽されることを検出した場合、
第１の調節閾値を第２の調節閾値に更新するステップをさらに含み、
ここで、前記第２の調節閾値は、前記第１の調節閾値よりも大きく、前記第１の調節閾値または第２の調節閾値は、スクリーンの輝度を自動調節するイベントをトリガーするためのものである。
【００２０】
これにより、本発明は、感光センサーが遮蔽された場合、スクリーンの輝度を自動調節するイベントをトリガーするための調節閾値を更新して、調節閾値を増大させることによって、感光センサーが遮蔽されるが、環境中の光線の強度が変化しない場合でのスクリーン輝度の誤調節をさらに防止することに有利である。
【００２１】
選択的には、本発明スクリーン輝度の調節方法は、
感光センサーが遮蔽されないことを検出した場合、現在の光線の強度パラメータに基づいて、前記スクリーンの輝度を調節するステップをさらに含む。
【００２２】
これにより、本発明は、感光センサーが遮蔽されない場合、現在の光線の強度パラメータに基づいて前記スクリーンの輝度を調節することによって、スクリーン輝度調節の合理性を確保して、スクリーンの輝度を現在の使用環境に適応させることができる。
【００２３】
選択的には、現在の光線の強度パラメータに基づいて、前記スクリーンの輝度を調節する前、
スクリーンの現在のインターフェースにスクリーンの輝度を自動調節するイベントをトリガーするための第１のコントロール及びスクリーンの輝度を自動調節するイベントのキャンセルをトリガーするための第２のコントロールを表示するステップと、
現在のトリガーされたコントロールに応じて、現在の光線の強度パラメータに基づいて前記スクリーンの輝度を調節するか否かを確定するステップと、をさらに含む。
【００２４】
これにより、本発明は、現在の光線の強度パラメータに基づいて前記スクリーンの輝度を調節する前、スクリーンの輝度を自動調節するか否かを制御するためのコントロールをユーザへ表示し、ユーザが自身の使用要求に基づいてスクリーンの輝度を調節するか否かを確定することに便利であり、ユーザの体験をさらに最適化することに有利である。
【００２５】
本発明の実施例の第２局面によれば、スクリーン輝度の調節装置を提供し、前記装置は、
光線の強度が変化することを検出した場合、感光センサーが遮蔽されるか否かを検出するように構成される検出モジュールと、
感光センサーが遮蔽された場合、スクリーンの現在の輝度を維持するように構成される輝度調節モジュールと、を含む。
【００２６】
本発明の実施例の第３局面によれば、電子機器を提供し、前記電子機器は、
プロセッサと、
前記プロセッサにより実行可能なコンピュータプログラムを記憶するメモリと、
ディスプレイと、を含み、
ここで、前記プロセッサは、前記プログラムを実行する場合、前記スクリーン輝度の調節方法のステップを実現すると共に、前記ディスプレイのスクリーンの輝度の調節を実現する。
【００２７】
本発明の実施例の第４局面によれば、プログラムを提供し、前記プログラムは、プロセッサにより実行されことにより、上記スクリーン輝度の調節方法を実現する。
本発明の実施例の第５局面によれば、コンピュータ読み取り可能な記録媒体を提供し、前記記録媒体は、上記プログラムが記載されている。
【発明の効果】
【００２８】
本発明の装置、電子機器及びコンピュータ読み取り可能な記録媒体は、いずれも本発明のスクリーン輝度の調節方法を含み、したがって、本発明の装置、電子機器及びコンピュータ読み取り可能な記録媒体は、いずれも前記スクリーン輝度の調節方法による有益な技術効果を得ることができ、ここで詳細な説明を省略する。
【００２９】
なお、前記一般的な記載及び後述の詳細な記載は、単なる例示的な記載であり、本発明を限定しない。
【図面の簡単な説明】
【００３０】
【図１】本発明の一例示的な実施例に係るスクリーン輝度の調節方法のプローチャートである。
【図２】本発明の一例示的な実施例に係る感光センサーが遮蔽されるか否かを検出するステップのプローチャートである。
【図３】本発明の一例示的な実施例に係る端末機器のスクリーンが縦向きスクリーン状態にある場合の模式図である。
【図４】本発明の一例示的な実施例に係る端末機器のスクリーンが横向きスクリーン状態にある場合の模式図である。
【図５】本発明の一例示的な実施例に係るスクリーンの第１の領域と第２の領域の模式図である。
【図６】本発明の一例示的な実施例に係るスクリーンの第１の領域と他の第２の領域の模式図である。
【図７】本発明の一例示的な実施例に係るユーザ手部が感光センサーを遮蔽する場合の模式図である。
【図８】本発明の一例示的な実施例に係る感光センサーが遮蔽されるか否かを検出するステップのプローチャートである。
【図９】本発明の一例示的な実施例に係る感光センサーが遮蔽されるか否かを検出する他のステップのプローチャートである。
【図１０】本発明の一例示的な実施例に係る端末機器に第１のコントロールと第２のコントロールが表示される場合インターフェース模式図である。
【図１１】本発明の一例示的な実施例に係る電子機器の構造ブロック図である。
【発明を実施するための形態】
【００３１】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００３２】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の1つ又は複数の何れ又は全ての組み合わせを意味する。
【００３３】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００３４】
図１に示すように、図１は、本発明の一例示的な実施例に係るスクリーン輝度の調節方法のプローチャートであり、前記方法は、端末に適用されることができ、以下のステップを含む。
【００３５】
ステップ１０１において、光線の強度が変化することを検出した場合、感光センサーが遮蔽されるか否かを検出する。
【００３６】
ステップ１０２において、感光センサーが遮蔽されることを検出した場合、スクリーンの現在の輝度を維持する。
【００３７】
前記光線の強度は、端末機器の感光センサーにより検出されることができる。感光センサーにより検出された現在の光線の強度に対応する電気信号と前回に検出された光線の強度に対応する電気信号とが異なる場合、光線の強度が変化することを検出したと見なすことができる。
【００３８】
感光センサーにより検出された光線の強度の変化は、一般的に、環境中の実際の光線の強度が変化すること、または、感光センサーが遮蔽されることによることであり、したがって、環境中の光線の強度が変化しない場合での輝度の誤調節を避けるように、検出された光線の強度が変化する原因を確定するために、前記のステップ１０１において、光線の強度が変化することを検出した場合、感光センサーが遮蔽されるか否かをさらに検出する必要がある。
【００３９】
これにより、本発明は、光線の強度が変化することを検出した場合、まず、スクリーンの輝度を調節しなく、電子機器の感光センサーが遮蔽されるか否かを検出して、検出結果に基づいて、スクリーンの輝度を調節する必要があるか否かを確定することによって、環境中の光線の強度が変化しない場合、感光センサーが遮蔽されることによりスクリーンの輝度をそれに伴って変化させる現象の発生を効果的に避けることができ、輝度の誤調節及びそれによるエネルギー損失を防止することに有利であり、スクリーン輝度の調節確度を高める。そして、ゲーム中に、ユーザが電子機器を横持って感光センサーを遮蔽しても、スクリーンの輝度が暗くならず、現在の輝度を維持するように確保し、ユーザの体験を最適化することができる。
【００４０】
ここで、選択的には、図２に示すように、図２は、本発明の一例示的な実施例に係る感光センサーが遮蔽されるか否かを検出するステップのプローチャートであり、感光センサーが遮蔽されるか否かを検出するステップは、以下のステップを含む。
【００４１】
ステップ１０１ａにおいて、スクリーンが横向きスクリーン状態にあるか否かを検出する。
【００４２】
ステップ１０１ｂにおいて、スクリーンの第１の領域と第２の領域にタッチ操作があるか否かを検出する。ここで、前記第１の領域は、感光センサーと隣接し、前記第２の領域は、スクリーンにおける、第１の領域の以外の他の領域である。
【００４３】
ステップ１０１ｃにおいて、スクリーンが横向きスクリーン状態にあり、且つ第１の領域と第２の領域にもタッチ操作がある場合、感光センサーが遮蔽されたと確定する。
【００４４】
横向きスクリーン状態では、ユーザがスクリーンにおける感光センサーと隣接する第１の領域と第１の領域の以外の第２の領域をタッチする過程中に、第１の領域をタッチするための一方の手が一般的に、感光センサーの上方を跨って第１の領域に接触し、感光センサーを遮蔽するため、感光センサーにより検出された光線の強度が弱くなる。したがって、本発明は、ステップ１０１ａ〜１０１ｃであって、スクリーンが横向きスクリーン状態にあるか否かを検出し、第１の領域と第２の領域にタッチ操作があるか否かを検出し、これに基づいて感光センサーが遮蔽されたか否かを確定することにより、感光センサーが遮蔽されるか否かの検出確度を高めることに有利であり、スクリーン輝度の調節確度を高める。そして、検出過程において、重力センサーとタッチセンサーを応用する必要があるだけであり、検出を容易に実現でき、且つ検出過程が簡単であり、検出効率を高めることに有利である。
【００４５】
本実施例において、前記ステップ１０１ａと前記ステップ１０１ｂの手順を限定しない。
【００４６】
前記ステップ１０１ａにおいて、スクリーンの横向きスクリーン状態は、端末機器の重力センサーにより検出されることができる。図３及び図４に示すように、図３は、本発明の一例示的な実施例に係る端末機器のスクリーンが縦向きスクリーン状態にある場合の模式図である。図４は、本発明の一例示的な実施例に係る端末機器のスクリーンが横向きスクリーン状態にある場合の模式図である。
【００４７】
前記ステップ１０１ｂにおいて、第１の領域と第２の領域のタッチ操作は、いずれも端末機器のタッチセンサー（例えば、端末機器のタッチスクリーン）により検出されることができる。ここで、開発者が開発階段でスクリーンの第１の領域と第２の領域を予め区画すると共に、第１の領域と第２の領域との座標を端末機器に保存することによって、タッチ操作が第１の領域で発生するか、第２の領域で発生するかを判断することができる。
【００４８】
図５に示すように、図５は、本発明の一例示的な実施例に係るスクリーンの第１の領域と第２の領域の模式図である。ここで、記号Ａに示される箇所は、感光センサーであり、記号Ｂ１に示される破線枠の内部は、第１の領域であり、記号Ｂ２に示されるスクリーンにおける破線枠の以外の部分は、第２の領域である。他の実施例において、前記第２の領域は、第１の領域の以外の他の領域の一部であり、且つ第１の領域と分離してもよい。図６に示すように、図６は、本発明の一例示的な実施例に係るスクリーンの第１の領域と他の第２の領域の模式図であり、ここで、記号Ａに示される箇所は、感光センサーであり、記号Ｃ１に示される破線枠の内部は、第１の領域であり、記号Ｃ２に示される破線枠の内部は、第２の領域である。
【００４９】
一実施例において、タッチ操作に対する検出確度、及びスクリーン輝度の調節確度を高めるために、選択的には、前記ステップ１０１ｃにおいて、感光センサーが遮蔽されたと確定する前に、以下のステップをさらに含む。
【００５０】
ステップ１０１ｃ１において、第１の領域と第２の領域のタッチ操作のレポートレートを検出する。
【００５１】
ステップ１０１ｃ２において、第１の領域のレポートレートと予め設けられた第１のレポート閾値を比較し、第２の領域のレポートレートと予め設けられた第２のレポート閾値を比較する。
【００５２】
ステップ１０１ｃ３において、比較結果に基づいて、感光センサーが遮蔽されるか否かを確定する。
【００５３】
本実施例において、レポートレートは、端末機器のタッチセンサー（例えば、端末機器のタッチスクリーン）により検出されることができる。前記第１のレポート閾値と前記第２のレポート閾値は、開発者により開発階段で予め設けられてもよい、または、ユーザにより自身の使用状況に基づいて設定されてもよい。ここで、前記第１のレポート閾値は、前記第２のレポート閾値と等しい、または、ほぼ等しいであってもよい。ほぼ等しいことは、第１のレポート閾値と第２のレポート閾値との差が１よりも小さいと理解されることができる。ここで、差が１よりも小さいことは、単に例示的な説明に過ぎず、他の実施例において、他の合理的な数値を取っても良い。数値は、ユーザがスクリーンを介してインタラクションを行う時、両手の指がスクリーンの第１の領域と第２の領域に示されるコントロールをそれぞれクリックして、対応する命令をトリガーする場合、対応するレポートレートに基づいて得られることができる。
【００５４】
前記ステップ１０１ｃ３において、前記比較結果が、第１の領域のレポートレートが前記第１のレポート閾値以上であり、且つ第２の領域のレポートレートが前記第２のレポート閾値以上であることである場合のみ、感光センサーが遮蔽されたと確定する。
【００５５】
一実施例において、横向きスクリーン状態では、第１の領域及び/又は第２の領域にタッチ操作を検出しないが、ユーザが電子機器を使用する過程で、手部が感光センサーを遮蔽する現象が発生する可能性があり、例えば、ユーザは、両手または片手で電子機器を持ってビデオを見る場合、第１の領域に接近する一方の手が感光センサーをちょうど遮蔽する。図７に示すように、図７は、本発明の一例示的な実施例に係るユーザの手部が感光センサーを遮蔽する場合の模式図である。したがって、スクリーンの輝度を調節する確度をさらに高めるように、このような場合に感光センサーが遮蔽されるか否かを検出できることも実現するために、感光センサーが遮蔽されるか否かを検出するステップは、以下のステップをさらに含む。
【００５６】
ステップ１０１ｄにおいて、スクリーンが横向きスクリーン状態にあり、且つ第１の領域及び/又は第２の領域にタッチ操作がない場合、感光センサーと隣接して設置される距離センサーによって、予め設けられた距離閾値内に物体が存在するか否かを検出する。
【００５７】
検出結果に基づいて、感光センサーが遮蔽されるか否かを確定する。
【００５８】
一実施例において、縦向きスクリーン状態では、ユーザが電子機器を使用する過程に、手部が感光センサーを遮蔽する現象が発生する可能性もある。スクリーンの輝度を調節する確度をさらに高めるように、縦向きスクリーンモードでも感光センサーが遮蔽されるか否かの状況を検出できることを満足し、且つ、通話時にイヤピースに密着することにより距離センサーが予め設けられた距離閾値内に物体を検出した場合（即ち、この場合、感光センサーが遮蔽されたと見なされない）を排除するために、図８に示すように、図８は、本発明の一例示的な実施例に係る感光センサーが遮蔽されるか否かを検出するステップのプローチャートであり、感光センサーが遮蔽されるか否かを検出するステップは、以下のステップをさらに含んでもよい。
【００５９】
ステップ１０１ｅにおいて、
スクリーンが横向きスクリーン状態になっていない（即ち、縦向きスクリーン状態にあり）場合、通話アプリケーションが実行されているか否かを検出する。
【００６０】
通話アプリケーションが実行されている場合、感光センサーが遮蔽されない結果を出力する。
【００６１】
通話アプリケーションが実行されていない場合、距離センサーにより、予め設けられた距離閾値内に物体が存在するか否かを検出する。
【００６２】
検出結果に基づいて、感光センサーが遮蔽されるか否かを確定する。
【００６３】
前記ステップ１０１ｄまたは前記ステップ１０１ｅにおいて、検出結果に基づいて感光センサーが遮蔽されるか否かを確定するステップにおいて、前記検出結果は、距離センサーが前記距離閾値内に物体が存在することを検出した第１種類の検出結果と、距離センサーが前記距離閾値内に物体が存在することを検出しない第２種類の検出結果と、を含む。ここで、第１種類の検出結果である場合、感光センサーが遮蔽されたと確定する。第２種類の検出結果である場合、感光センサーが遮蔽されないと確定する。
【００６４】
前記ステップ１０１ｄと前記ステップ１０１ｅにおいて、距離センサーの検出結果に基づいて、感光センサーが遮蔽されるか否かを確定することができる原因は、以下の通りであり、距離センサーが感光センサーと隣接して設置され、物体が距離センサーに過度に近接する場合、即ち、距離センサーが前記距離閾値内に物体が存在することを検出した場合、きっと前記感光センサーを遮蔽することになる。したがって、距離センサーの前記距離閾値内での検出結果に基づいて、感光センサーが遮蔽されるか否かを確定することができる。ここで、前記距離閾値は、開発者により複数回の試験を経て獲得されるものであり、具体的な獲得方法は、本発明及び相関する技術を組み合わせることにより獲得されることができ、ここで詳細な説明を省略する。
【００６５】
他の実施例において、他の態様により、感光センサーが遮蔽されるか否かを検出することを実現してもよい、即ち、他の実現態様として、図９に示すように、図９は、本発明の一例示的な実施例に係る感光センサーが遮蔽されるか否かを検出する他のステップのプローチャートであり、感光センサーが遮蔽されるか否かを検出する他のステップは、以下のステップを含む。
【００６６】
ステップ１０１ａ’において、スクリーンが横向きスクリーン状態にあるか否かを検出する。
【００６７】
ステップ１０１ｂ’において、距離センサーにより、予め設けられた距離閾値内に物体が存在するか否かを検出する。ここで、距離センサーは、感光センサーと隣接して設置される。
【００６８】
ステップ１０１ｃ’において、検出結果に基づいて、感光センサーが遮蔽されるか否かを確定する。
【００６９】
前記ステップ１０１ａ’〜１０１ｃ’に係る実施例において、前記横向きスクリーン状態、距離閾値に対する理解は、前述の横向きスクリーン状態及び距離閾値に対する説明を参照することができ、ここで詳細な説明を省略する。
【００７０】
前記ステップ１０１ｃ’は、以下のステップを含んでもよい。
【００７１】
スクリーンが横向きスクリーン状態にあることを検出し、且つ距離センサーが予め設けられた距離閾値内に物体が存在することを検出した場合、感光センサーが遮蔽されたと確定する。
【００７２】
スクリーンが横向きスクリーン状態になっていないことを検出し、及び/又は距離センサーが予め設けられた距離閾値内に物体が存在することを検出しない場合、感光センサーが遮蔽されないと確定する。
【００７３】
これにより、スクリーンが横向きスクリーン状態にあるか否かを検出し、距離センサーにより予め設けられた距離閾値内に物体が存在するか否かを検出し、検出結果に基づいて感光センサーが遮蔽されるか否かを確定することによって、検出ステップを簡略化させることができ、且つ、距離センサーが感光センサーと隣接して設置されるため、横向きスクリーン状態（通話時にイヤピースに密着することにより距離センサーが予め設けられた距離閾値内に物体を検出した状況を排除し）では、距離センサーが予め設けられた距離閾値内に物体を検出した場合、前記物体がいずれも感光センサーを遮蔽するようになり、予め設けられた距離閾値内に物体を検出しない場合、感光センサーを遮蔽する現象が存在しない。したがって、感光センサーが遮蔽されるか否かに対する検出確度を確保し、スクリーン輝度の調節確度を高め、ユーザの体験を最適化することができる。
【００７４】
一実施例において、前述のいずれか１つの実施例に基づいて、本発明に係るスクリーン輝度の調節方法は、以下のステップをさらに含む。
【００７５】
ステップ１０３において、感光センサーが遮蔽されないことを検出した場合、現在の光線の強度パラメータに基づいて、前記スクリーンの輝度を調節する。
【００７６】
前記ステップ１０３において、現在の光線の強度パラメータに基づいて前記スクリーンの輝度を調節する方法は、相関技術から知ることができ、ここで詳細な説明を省略する。また、どのような場合に、感光センサーが遮蔽されないことを検出したと見なされることに関しては、上記の相関内容から知ることができ、ここで詳細な説明を省略する。
【００７７】
これにより、本発明は、感光センサーが遮蔽されない場合、現在の光線の強度パラメータに基づいて前記スクリーンの輝度を調節することによって、スクリーン輝度調節の合理性を確保して、スクリーンの輝度を現在の使用環境に適応させることができる。
【００７８】
一実施例において、前記ステップ１０３において、現在の光線の強度パラメータに基づいて前記スクリーンの輝度を調節する前、以下のステップをさらに含む。
【００７９】
ステップ１０３１において、スクリーンの現在のインターフェースに第１のコントロール及び第２のコントロールを表示する。ここで、前記第１のコントロールは、スクリーンの輝度を自動調節するイベントをトリガーするためのものであり、前記第２のコントロールは、スクリーンの輝度を自動調節するイベントのキャンセルをトリガーするためのものである。
【００８０】
ステップ１０３２において、現在のトリガーされたコントロールに応じて、現在の光線の強度パラメータに基づいて前記スクリーンの輝度を調節するか否かを確定する。
【００８１】
前記ステップ１０３１は、感光センサーが遮蔽されないことを検出した場合に実行される。
【００８２】
選択的には、図１０に示すように、図１０は、本発明の一例示的な実施例に係る端末機器に第１のコントロールと第２のコントロールが表示される場合のインターフェース模式図であり、第１のコントロールと第２のコントロールを１つのポップアップに配置することができ、感光センサーが遮蔽されないことを検出した場合、ポップアップが出て、ポップアップに「スクリーン輝度の自動調節機能が５ｓ後に起動する」という文字内容、第１のコントロール及び第２のコントロールが表示され、第１のコントロールの表示内容は、「確認」であってもよい、第２のコントロールの表示内容は、「キャンセル」であってもよい。他の実施例において、ポップアップを表示しなく、直接に前記第１のコントロールに「スクリーン輝度の自動調節を起動する」という内容を表示し、前記第２のコントロールに「スクリーン輝度の自動調節をキャンセルする」という内容を表示してもよい。これにより、ユーザは、第１のコントロールと第２のコントロールの機能を明確に知ることができ、必要なコントロールをトリガーすることができる。
【００８３】
前記ステップ１０３２において、ユーザが第１のコントロールをクリックしてスクリーンの輝度を自動調節するイベントをトリガーする場合、端末機器のシステムは、感光センサーにより検出された現在の光線の強度パラメータに基づいて、スクリーンの輝度を調節する。ユーザが第２のコントロールをクリックしてスクリーンの輝度を自動調節するイベントのキャンセルをトリガーする場合、端末機器のシステムは、スクリーンの輝度を調節する操作を行わず、現在の輝度を維持して、ユーザの現在の使用要求を満足することができる。
【００８４】
これにより、本発明は、現在の光線の強度パラメータに基づいて前記スクリーンの輝度を調節する前、スクリーンの輝度を自動調節するか否かを制御するためのコントロールをユーザへ表示し、ユーザが自身の使用要求に基づいてスクリーンの輝度を調節するか否かを確定することに便利であり、ユーザの体験をさらに最適化することに有利である。
【００８５】
一実施例において、前述のいずれか１つの実施例に基づいて、感光センサーが遮蔽されることを検出しまたは確定した場合、本発明に係るスクリーン輝度の調節方法は、以下のステップをさらに含む。
【００８６】
ステップ１０４において、第１の調節閾値を第２の調節閾値に更新し、ここで、前記第２の調節閾値は、前記第１の調節閾値によりも大きく、前記第１の調節閾値または第２の調節閾値は、スクリーンの輝度を自動調節するイベントをトリガーするためのものである。
【００８７】
ここで、前記第１の調節閾値と前記第２の調節閾値は、感光センサーにより検出された光線の強度の変化度合いであると理解されることができ、例えば、感光センサーが前回に検出した光線の強度がａであり、今回に検出した光線の強度がｂであれば、ｂとａの差の絶対値が第１の調節閾値または第２の調節閾値以上である場合のみ、スクリーンの輝度を自動調節するイベントをトリガーする。
【００８８】
これにより、本発明は、感光センサーが遮蔽された場合、スクリーンの輝度を自動調節するイベントをトリガーするための調節閾値を更新して、調節閾値を増大させることによって、感光センサーが遮蔽されるが、環境中の光線の強度が変化しない場合でのスクリーン輝度の誤調節をさらに防止することに有利である。
【００８９】
前述のスクリーン輝度の調節方法の実施例に対応し、本発明は、スクリーン輝度の調節装置をさらに提供し、前記装置は、
光線の強度が変化することを検出した場合、感光センサーが遮蔽されるか否かを検出するように構成される検出モジュールと、
感光センサーが遮蔽された場合、スクリーンの現在の輝度を維持するように構成される輝度調節モジュールと、を含む。
【００９０】
本実施例において、前記検出モジュールは、
光線の強度が変化するか否かを検出するように構成される光強度検出サブモジュールと、
光線の強度が変化した場合、スクリーンが横向きスクリーン状態にあるか否かを検出するように構成される横スクリーン検出サブモジュールと、
光線の強度が変化しまたはスクリーンが横向きスクリーン状態にある場合、スクリーンの第１の領域と第２の領域にタッチ操作があるか否かを検出するように構成されるタッチ検出サブモジュールと、ここで、前記第１の領域は、感光センサーと隣接し、前記第２の領域は、スクリーンにおける、第１の領域の以外の他の領域であり、
スクリーンが横向きスクリーン状態にあり、且つ第１の領域と第２の領域にもタッチ操作がある場合、感光センサーが遮蔽されたと確定するように構成される第１の確定サブモジュールと、を含む。
【００９１】
そのうちの一実施例において、前記第１の確定サブモジュールは、
スクリーンが横向きスクリーン状態にあり、且つ第１の領域と第２の領域にもタッチ操作がある場合、第１の領域と第２の領域のタッチ操作のレポートレートを検出するように構成されるレポート検出サブモジュールと、
第１の領域のレポートレートと予め設けられた第１のレポート閾値を比較し、第２の領域のレポートレートと予め設けられた第２のレポート閾値を比較するように構成されるレポート比較サブモジュールと、
比較結果に基づいて、感光センサーが遮蔽されるか否かを確定するように構成される結果確定サブモジュールと、を含む。
【００９２】
他の実施例において、他の態様により前記第１の確定サブモジュールを代替しても良い。即ち、新しい第１の確定サブモジュールは、
スクリーンが横向きスクリーン状態にあり、且つ第１の領域と第２の領域にもタッチ操作がある場合、距離センサーにより、予め設けられた距離閾値内に物体が存在するか否かを検出するように構成される第１の距離検出サブモジュールと、
検出結果に基づいて、感光センサーが遮蔽されるか否かを確定するように構成される結果確定サブモジュールと、を含む。
【００９３】
一実施例において、前記検出モジュールは、
スクリーンが横向きスクリーン状態にあり、且つ第１の領域及び/又は第２の領域にタッチ操作がない場合、感光センサーと隣接して設置される距離センサーにより、予め設けられた距離閾値内に物体が存在するか否かを検出するように構成される第２の距離検出サブモジュールと、
第２の距離検出サブモジュールの検出結果に基づいて、感光センサーが遮蔽されるか否かを確定するように構成される第２の確定サブモジュールと、をさらに含む。
【００９４】
一実施例において、前記検出モジュールは、
スクリーンが横向きスクリーン状態になっていない（即ち、縦向きスクリーン状態にあり）場合、通話アプリケーションが実行されるか否かを検出するように構成される通話検出サブモジュールと、
通話アプリケーションが実行されている場合、感光センサーが遮蔽されない結果を出力するように構成される第１の結果出力サブモジュールと、
通話アプリケーションが実行されていない場合、距離センサーにより、予め設けられた距離閾値内に物体が存在するか否かを検出するように構成される第３の距離検出サブモジュールと、
検出結果に基づいて、感光センサーが遮蔽されるか否かを確定するように第２の結果出力サブモジュールと、をさらに含む。
【００９５】
他の実施例において、他の態様で前記検出モジュールを代替しても良い。即ち、新しい検出モジュールは、
光線の強度が変化するか否かを検出するように構成される光強度検出サブモジュールと、
光線の強度が変化する場合、スクリーンが横向きスクリーン状態にあるか否かを検出するように構成される横スクリーン検出サブモジュールと、
光線の強度が変化しまたはスクリーンが横向きスクリーン状態にある場合、感光センサーと隣接して設置される距離センサーにより、予め設けられた距離閾値内に物体が存在するか否かを検出するように構成される距離検出サブモジュールと、
検出結果に基づいて、感光センサーが遮蔽されるか否かを確定するように構成される確定サブモジュールと、を含む。
【００９６】
対応的に、新しい検出モジュールに基づいて、前記確定サブモジュールは、
スクリーンが横向きスクリーン状態にあり、距離センサーが予め設けられた距離閾値内に物体が存在することを検出した場合、感光センサーが遮蔽されたと確定し、
スクリーンが横向きスクリーン状態になっていない、及び/又は距離センサーが予め設けられた距離閾値内に物体が存在することを検出しない場合、感光センサーが遮蔽されないと確定するように構成される。
【００９７】
一実施例において、前述の装置のいずれか１つの実施例に基づいて、前記輝度調節モジュールは、さらに、感光センサーが遮蔽されない場合、現在の光線の強度パラメータに基づいて、前記スクリーンの輝度を調節するように構成される。
【００９８】
一実施例において、前記装置は、
輝度調節モジュールがスクリーンの輝度を調節する前、スクリーンの現在のインターフェースに第１のコントロールと第２のコントロールを表示するように構成されるコントロール表示モジュールと、ここで、前記第１のコントロールは、スクリーンの輝度を自動調節するイベントをトリガーするためのものであり、前記第２のコントロールは、スクリーンの輝度を自動調節するイベントのキャンセルをトリガーするためのものであり、
現在のトリガーされたコントロールに応じて、現在の光線の強度パラメータに基づいて前記スクリーンの輝度を調節するか否かを確定するように構成される調節確定モジュールと、をさらに含む。
【００９９】
ここで、調節確定モジュールは、スクリーンの輝度を調節するか否かの命令を輝度調節モジュールに出力して、輝度調節モジュールが受信した命令に基づいて、スクリーンの現在の輝度を維持しまたは調節するようになる。
【０１００】
一実施例において、前述の装置のいずれか１つの実施例に基づいて、前記装置は、
感光センサーが遮蔽された場合、第１の調節閾値を第２の調節閾値に更新するように構成される閾値更新モジュールをさらに含み、ここで、前記第２の調節閾値は、前記第１の調節閾値によりも大きく、前記第１の調節閾値または第２の調節閾値は、スクリーンの輝度を自動調節するイベントをトリガーするためのものである。
【０１０１】
本発明の前記装置における各モジュールは、前述のスクリーン輝度の調節方法に対応するため、前述のスクリーン輝度の調節方法に基づいて、本発明の前記装置を説明することができ、ここで詳細な説明を省略する。
【０１０２】
前述のスクリーン輝度の調節方法の実施例に対応し、本発明は、スクリーン輝度の調節装置の電子機器をさらに提供し、前記電子機器は、
プロセッサと、
前記プロセッサにより実行可能なコンピュータプログラムを記憶するメモリと、
ディスプレイと、を含み、
ここで、前記プロセッサは、前記プログラムを実行する場合、前記スクリーン輝度の調節方法のステップを実現すると共に、前記ステップを実現する同時に、前記ディスプレイのスクリーンの輝度調節を実現する。
【０１０３】
図１１に示すように、図１１は、本発明の一例示的な実施例に係る電子機器の構造ブロック図である。前記電子機器５００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１０４】
図１１を参照すると、電子機器５００は、処理ユニット５０１、メモリ５０２、電源ユニット５０３、マルチメディアユニット５０４、オーディオユニット５０５、入力/出力（Ｉ/Ｏ）インターフェース５０６、センサーユニット５０７、及び通信ユニット５０８からなる群から選ばれる少なくとも１つを備えてもよい。
【０１０５】
処理ユニット５０１は、一般的には、電子機器５００の全体の操作、例えば、表示、電話呼び出し、データ通信、カメラ操作及び記録操作に関連する操作を制御する。処理ユニット５０１は、上述した方法におけるステップの一部又は全部を実現できるように、命令を実行する少なくとも１つのプロセッサ５０９を備えてもよい。また、処理ユニット５０１は、他のユニットとのインタラクションを便利にさせるように、少なくとも１つのモジュールを備えてもよい。例えば、処理ユニット５０１は、マルチメディアユニット５０４とのインタラクションを便利にさせるように、マルチメディアモジュールを備えてもよい。
【０１０６】
メモリ５０２は、電子機器５００での操作をサポートするように、各種のデータを記憶するように配置される。これらのデータは、例えば、電子機器５００で何れのアプリケーション又は方法を操作するための命令、連絡先データ、電話帳データ、メッセージ、画像、ビデオ等を含む。メモリ５０２は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０１０７】
電源ユニット５０３は、電子機器５００の各種ユニットに電力を供給するためのものであり、電源管理システム、１つ又は複数の電源、及び電子機器５００のために電力を生成、管理及び分配することに関連する他のユニットを備えてもよい。
【０１０８】
マルチメディアユニット５０４は、電子機器５００とユーザとの間に出力インターフェースを提供するスクリーンを備えてもよい。スクリーンは、ユーザの入力信号を受信するように、タッチスクリーンとして実現されるタッチパネル（ＴＰ）を備えてもよい。タッチパネルは、タッチや、スライドや、タッチパネル上の手振りを感知するように、少なくとも１つのタッチセンサーを有してもよい。前記タッチセンサーは、タッチやスライド動作の境界を感知できるだけではなく、タッチやスライド操作と関連する持続時間や圧力も感知できる。一実施例では、マルチメディアユニット５０４は、フロントカメラ及び/又はバックカメラを有してもよい。電子機器５００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１０９】
オーディオユニット５０５は、オーディオ信号を出力及び/又は入力するように配置される。例えば、オーディオユニット５０５は、マイクロフォン（ＭＩＣ）を有してもよい。電子機器５００が、例えば、呼び出しモード、記録モード、又は音声認識モードのような操作モードにあるとき、マイクロフォンは、外部のオーディオ信号を受信するように配置される。受信したオーディオ信号は、メモリ５０２にさらに記憶されてもよいし、通信ユニット５０８を介して送信されてもよい。一実施例では、オーディオユニット５０５は、オーディオ信号を出力するためのスピーカをさらに備えてもよい。
【０１１０】
Ｉ/Ｏインターフェース５０２は、処理ユニット５０１と外部のインタフェースモジュールとの間にインターフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１１１】
センサーユニット５０７は、電子機器５００のために各方面の状態を評価する少なくとも１つのセンサーを備えてもよい。例えば、センサーユニット５０７は、電子機器５００のオン/オフ状態や、ユニットの相対的な位置を検出することができる。例えば、前記ユニットは、電子機器５００のディスプレイ及びキーパッドである。センサーユニット５０７は、電子機器５００又は電子機器５００の１つのユニットの位置の変化や、ユーザが電子機器５００に接触しているか否かや、電子機器５００の方向又は加速/減速や、電子機器５００の温度変化を検出することができる。センサーユニット５０７は、何れの物理的な接触もない場合に付近の物体を検出するように配置される近接センサーを有してもよい。センサーユニット５０７は、イメージングアプリケーションに用いるための光センサー、例えば、ＣＭＯＳ又はＣＣＤ画像センサーを有してもよい。一実施例では、当該センサーユニット５０７は、加速度センサー、ジャイロスコープセンサー、磁気センサー、圧力センサー、温度センサー、光電センサー又はＧＰＳセンサーをさらに備えてもよい。
【０１１２】
通信ユニット５０８は、電子機器５００と他の設備の間との無線又は有線通信を便利にさせるように配置される。電子機器５００は、通信標準に基づく無線ネットワーク、例えば、ＷｉＦｉ、２Ｇ又は３Ｇ、又はそれらの組み合わせにアクセスできる。１つの例示的な実施例では、通信ユニット５０８は、ブロードキャストチャンネルを介して外部のブロードキャスト管理システムからのブロードキャスト信号又はブロードキャストに関する情報を受信する。１つの例示的な実施例では、前記通信ユニット５０８は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１１３】
例示的な実施例では、電子機器５００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサ（ＤＳＰ：Ｄｉｇｉｔａｌ Ｓｉｇｎａｌ Ｐｒｏｃｅｓｓｏｒ）、数字信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１１４】
上記の機器の各ユニットの機能と作用の実現過程は、具体的に上記の方法における対応するステップの実現過程を参照し、ここで詳細な説明を省略する。
【０１１５】
装置の実施例は、基本的に方法の実施例に対応するため、関連する部分は、方法の実施例の一部の説明を参照すればよい。前述した装置の実施例は、単に例示的なものであり、ここで、分離部材として説明されているユニットは、物理的に分離されるものであってもよい、物理的に分離されないものであってもよい、ユニットとして表示される部材は、物理的ユニットであってもよい、物理的ユニットではなくてもよい、即ち、一箇所に位置されてもよい、または、複数のネットワークユニットに分散されてもよい。実際の需要に応じて、そのうちの一部または全部のモジュールを選択して、本発明の目的を実現することができる。当業者は、創造的な労働を付与していない前提の下でも理解して実施することができる。
【０１１６】
前記スクリーン輝度の調節方法の実施例に対応し、本発明は、コンピュータプログラムが記憶され、コンピュータ読み取り可能な記憶媒体をさらに提供し、当該プログラムは、上記の電子機器のプロセッサ５０９により実行される場合、前記スクリーン輝度の調節方法のステップを実現し、前記ステップは、
光線の強度が変化することを検出した場合、感光センサーが遮蔽されるか否かを検出するステップと、
感光センサーが遮蔽されることを検出した場合、スクリーンの現在の輝度を維持するステップと、を含む。
【０１１７】
本発明は、プログラムコードを含む１つ以上の記録媒体（磁気ディスク記憶装置、ＣＤ-ＲＯＭ、光学記憶装置などを含むが、これらに限定されない）で実施されるコンピュータプログラム製品の形式を使用することができる。コンピュータが使用可能な記録媒体は、揮発性及び不揮発性、リムーバブルおよび非リムーバブルなメディアを含み、任意の方法または技術により情報の記憶を実現することができる。情報は、コンピュータ読み取り可能な命令、データ構造、プログラムモジュールまたは他のデータであってもよい。コンピュータの記録媒体の例としては、計算装置によってアクセス可能な情報を記憶するための、ＰＲＡＭ（Ｐｈａｓｅ ｃｈａｎｇｅ Ｒａｎｄｏｍ Ａｃｃｅｓｓ Ｍｅｍｏｒｙ）、ＳＲＡＭ（Ｓｔａｔｉｃ Ｒａｎｄｏｍ Ａｃｃｅｓｓ Ｍｅｍｏｒｙ）、ＤＲＡＭ（Ｄｙｎａｍｉｃ Ｒａｎｄｏｍ Ａｃｃｅｓｓ Ｍｅｍｏｒｙ）、その他のタイプのＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ-Ｏｎｌｙ Ｍｅｍｏｒｙ）、フラッシュメモリ、またはその他のメモリ技術、ＣＤ-ＲＯＭ（Ｃｏｍｐａｃｔ Ｄｉｓｃ Ｒｅａｄ Ｏｎｌｙ Ｍｅｍｏｒｙ）、ＤＶＤ、（Ｄｉｇｉｔａｌ Ｖｉｄｅｏ Ｄｉｓｃ）やその他の光学ストレージ、カセット式磁気テープ、磁気テープ、磁気ディスクストレージまたは他の磁気記憶装置、またはその他の任意の非伝送媒体を含むが、これらに限定されない。
【０１１８】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１１９】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【０１２０】
以上の説明は、本発明の好ましい実施例に過ぎず、本発明を限定しない。本発明の精神と原則の内に行われる任意の修正、同等の代替、改良等は、いずれも本発明の範囲に含まれる。
【図１】
0006860594.tif 000002
【図２】
0006860594.tif 000003
【図３】
0006860594.tif 000004
【図４】
0006860594.tif 000005
【図５】
0006860594.tif 000006
【図６】
0006860594.tif 000007
【図７】
0006860594.tif 000008
【図８】
0006860594.tif 000009
【図９】
0006860594.tif 000010
【図１０】
0006860594.tif 000011
【図１１】
0006860594.tif 000012